(57)【要約】【課題】下窄まりテーパー状のトレイを使用しつつ、物流過程での荷扱い作業性を向上させ、物流コードの誤読を防止できるようにする。【解決手段】下窄まりテーパー状のトレイ１とカバー２とから成る２ピース包装箱において、カバー２は、天板２１の周囲に側板２２，２３を連設し、隣り合う側板２２，２３を繋ぐ折込片２４を設けたものとし、折込片２４の両側に、トレイ１のテーパーに応じた角度だけ一側へ傾いた山折線２４ａ，２４ｂを入れ、折込片２４の中間に谷折線２４ｃを入れると共に、折込片２４の他側に、カバー２の稜線をなす山折線２４ｄを入れ、折込片２４を折り込み、天板２１から側板２２，２３を下方へ折り曲げ、傾斜したトレイ１の外側面に折込片２４を当接させ、カバー２の隣り合う側板２２，２３を締結することにより、トレイ１とカバー２とを固定する。【選択図】図４
2015155325.tif 000002
【特許請求の範囲】
【請求項１】
内容物を収納する下窄まりテーパー状のトレイ(1)と、これに被せるカバー(2)とから成る２ピース包装箱において、
前記カバー(2)は、天板(21)の周囲の各対辺に側板(22,23)を連設し、隣り合う側板(22,23)を繋ぐ折込片(24)を設けたものとし、折込片(24)の両側に、トレイ(1)のテーパーに応じた角度だけ一側へ傾いた山折線(24a,24b)を入れ、折込片(24)の中間に谷折線(24c)を入れると共に、折込片(24)の他側に、カバー(2)の稜線をなす山折線(24d)を入れ、
折込片(24)を山折線(24a,24b,24d)及び谷折線(24c)に沿って折り込み、天板(21)から側板(22,23)を下方へ折り曲げ、傾斜したトレイ(1)の外側面に折込片(24)を当接させ、カバー(2)の隣り合う側板(22,23)を締結することにより、トレイ(1)とカバー(2)とを固定したことを特徴とする２ピース包装箱。
【発明の詳細な説明】
【技術分野】
【０００１】
この発明は、下窄まりテーパー状のトレイとカバーとから成る２ピース包装箱に関するものである。
【背景技術】
【０００２】
従来、下記特許文献１には、図７に示すように、トレイ５１とカバー５２とから成り、食品容器として使用される２ピースの箱が記載されている。
【０００３】
トレイ５１は、逆台形の隣り合う側板５３，５４を折込片５５を介して連設し、折り重ねた折込片５４を一方の側板５３の外面に貼り付けて下窄まりテーパー状とし、天面を閉じる蓋板５６を備え、折込片５５に係止切欠部５５ａを形成したものとされている。
【０００４】
また、カバー５２は、逆台形の隣り合う側板５７，５８を連設して下窄まりのテーパー状とし、対向する側板５７の上端に係止片５９を連設したものとされている。
【０００５】
この箱の組み立てに際しては、係止片５９を内側へ折り曲げて、カバー５２の内側にトレイ５１を上方から嵌め込み、カバー５２のテーパーでカバー５２からのトレイ５１の抜け落ちを防止すると共に、係止片５９を係止切欠部５５ａに係合させることにより、カバー５２からのトレイ５１の上方への抜け出しを防止して、トレイ５１とカバー５２とを糊貼りすることなく固定する。
【先行技術文献】
【特許文献】
【０００６】
【特許文献１】特許第４９８４２４５号公報
【発明の概要】
【発明が解決しようとする課題】
【０００７】
ところで、カップ入り麺類等、下窄まりの外形を有する商品を複数個纏めて物流及び陳列に兼用する２ピースの包装箱で梱包する際、商品を収納するトレイが下窄まりテーパー状となった包装箱を使用すると、トレイが直方体の包装箱を使用するよりも、包材の使用面積を削減することができる。
【０００８】
しかしながら、上記特許文献１に記載されたような箱の構造では、トレイだけでなく、カバーもまた下窄まりテーパー状となることから、物流過程でのパレット積載作業等に際し、パレタイザー等の機械による荷扱い作業が困難となる。
【０００９】
また、カバーの側板に物流コードを付した場合、コンベヤ上での読取機での読み取りに際し、誤読が生じる恐れがある。
【００１０】
そこで、この発明は、下窄まりテーパー状のトレイを使用しつつ、物流過程での荷扱い作業性を向上させ、物流コードの誤読を防止できるようにすることを課題とする。
【課題を解決するための手段】
【００１１】
上記のような課題を解決するため、この発明は、内容物を収納する下窄まりテーパー状のトレイと、これに被せるカバーとから成る２ピース包装箱において、前記カバーは、天板の周囲の各対辺に側板を連設し、隣り合う側板を繋ぐ折込片を設けたものとし、折込片の両側に、トレイのテーパーに応じた角度だけ一側へ傾いた山折線を入れ、折込片の中間に谷折線を入れると共に、折込片の他側に、カバーの稜線をなす山折線を入れ、折込片を山折線及び谷折線に沿って折り込み、天板から側板を下方へ折り曲げ、傾斜したトレイの外側面に折込片を当接させ、カバーの隣り合う側板を締結することにより、トレイとカバーとを固定したのである。
【発明の効果】
【００１２】
この２ピース包装箱では、下窄まりテーパー状のトレイと、天板から側板を下方へ折り曲げたカバーとを、トレイの側板の傾斜に合わせた折込片により確実に固定して、カバーからのトレイの抜け落ちを防止することができ、組立状態でカバーの側板を垂直とすることにより、荷扱い作業が容易となり、物流コードの誤読も防止できる。
【図面の簡単な説明】
【００１３】
【図１】この発明の実施形態に係る２ピース包装箱のトレイとカバーのブランクを示す図
【図２】同上のトレイの組立状態を示す斜視図
【図３】同上のトレイへのカバーの装着過程を示す斜視図
【図４】同上のトレイとカバーとの固定状態を示す斜視図
【図５】同上の固定部の縦断側面図
【図６】同上の開梱過程を示す斜視図
【図７】従来の下窄まりテーパー状の２ピース箱のトレイとカバーを示す斜視図
【発明を実施するための形態】
【００１４】
以下、この発明の実施形態を添付図面に基づいて説明する。
【００１５】
この２ピース包装箱は、段ボールを材料とし、図１に示すトレイ１とカバー２のブランクから組み立てられるものであり、カップ入り麺類等、下窄まりの外形を有する商品の包装及び陳列に兼用される。
【００１６】
トレイ１のブランクでは、長方形の底板１１の一対の長辺に側板１２が、一対の短辺に側板１３がそれぞれ連設され、側板１２，１３は、組立状態で下辺が短く、上辺が長くなる逆台形とされている。一対の側板１２の両側には継代片１４が連設され、陳列時に前方となる側板１２は、商品の視認性向上のため、上端から大きく切り欠かれている。
【００１７】
カバー２のブランクでは、長方形の天板２１の一対の長辺に側板２２が、一対の短辺に側板２３がそれぞれ連設され、側板２２，２３は、共に長方形とされている。隣り合う側板２２，２３は、部分環状の折込片２４により繋がれ、その上方となるコーナー側は扇状に切り抜かれている。
【００１８】
折込片２４は、トレイ１のテーパーをなす側板１２，１３の傾斜に応じて、組立状態での上部コーナーを中心に一側が側板２３の内側へ切れ込み、その切込方向へ寄せて、折込片２４の両側には、それぞれ側板２２，２３の側端からトレイ１のテーパーに応じて５°程度傾けた山折線２４ａ，２４ｂが入れられている。
【００１９】
折込片２４の中間部には、山折線２４ａ，２４ｂからの角度がそれぞれ４５°となる谷折線２４ｃが入れられている。また、折込片２４の他側には、カバー２の稜線をなす山折線２４ｄが入れられている。
【００２０】
側板２３側の山折線２４ａは、比較的反発が大きくなるように段ボールの裏面から押圧した押罫とされ、側板２２側の山折線２４ｂ，２４ｄは、折曲抵抗を軽減するため、押罫と切目とが交互に断続するリード罫とされている。
【００２１】
側板２２の両側には、組立時に折込片２４よりも下方となる部分に、締結片２５が連設されている。
【００２２】
側板２３には、先端縁中間部から垂直に延び、途中から天板２１との境界の両端へ向かって斜めに延びる２本の切目線２３ａが入れられている。切目線２３ａの垂直部分は、通常のミシン目とされ、斜め部分は、鉤状の切目が断続するジッパー型とされている。
【００２３】
上記のようなブランクを組み立てて商品を梱包する際には、まず、図２に示すように、トレイ１において、底板１１から一対の側板１２を起立させ、側板１２から継代片１４を内側へ折り曲げ、底板１１から一対の側板１３を起立させて、側板１３の内面に継代片１４を貼り付けることにより、下窄まりテーパー状のトレイ１を組み立てる。
【００２４】
次に、トレイ１に商品を収納し、図３に示すように、トレイ１の天面にカバー２の天板２１を被せ、折込片２４を山折線２４ａ，２４ｂ，２４ｄ及び谷折線２４ｃに沿って折り込みつつ、天板２１から側板２２，２３を下方へ折り曲げる。このとき、折込片２４は、山折線２４ａでの反発が大きいことから、側板２２の方向へ押される。
【００２５】
また、折込片２４の上方のコーナー側が切り抜かれていることから、トレイ１の上端コーナー部をカバー２のコーナー部の内側に隙間なく合わせることができる。
【００２６】
そして、図４及び図５に示すように、側板２２，２３を垂直下方へ折り曲げると、傾斜したトレイ１の側板１２の外面に折込片２４が当接した状態となり、この状態で、締結片２５を側板２３に貼り付けて、隣り合う側板２２，２３を締結し、梱包を完了する。
【００２７】
このように梱包すると、カバー２を持ち上げても、トレイ１が折込片２４で支持されるので、自重で落下することがなく、トレイ１とカバー２とを、糊貼りしなくても、確実に固定することができる。
【００２８】
また、組立状態でカバー２の側板２２，２３が垂直となっているので、パレット積載時等における荷扱い作業が容易となり、物流コードの誤読も防止できる。
【００２９】
一方、この包装箱を開梱する際には、図６に示すように、側板２３の切目線２３ａに挟まれた部分を引き上げ、側板２３を切目線２３ａに沿って切断すると、締結片２５が側板２３に貼り付いたままの状態で、隣り合う側板２２，２３の締結が解除されるので、側板２２を外側へ揺動させ、トレイ１とカバー２とを分離することができ、トレイ１からカバー２を除去し、トレイ１に収納した商品を露出させて陳列することができる。
【００３０】
なお、上記実施形態では、折込片２４がトレイ１の長側面である側板１２に当接するようにしているが、山折線２４ａ，２４ｂ，２４ｄ及び谷折線２４ｃを側板２２へ寄せて割り振ることにより、折込片２４がトレイ１の短側面である側板１３に当接するようにしてもよい。また、谷折線２４ｃは、側板２２，２３のいずれか一方に少し寄せてもよい。
【００３１】
また、トレイ１の各一対の側板１２，１３がそれぞれ傾斜したものを例示しているが、トレイ１の外周各面をなす側板１２，１３のうち、少なくとも１面のみが傾斜するものとし、その傾斜面の両側部分に対応する折込片２４を設ければよい。
【００３２】
また、カバー２の側板２２，２３がトレイ１の下端まで達するものを例示しているが、カバー２は、必ずしも側板２２，２３がトレイ１の下端まで達する高さ方向の寸法を有するものでなくてもよい。
【００３３】
また、側板２３に開梱用の切目線２３ａを折線状に入れたものを例示したが、切目線２３ａは、切断に伴い側板２２，２３の締結が解除できるものであれば、例えば曲線状としてもよく、その形状や位置が限定されるものではない。また、締結片２５の基部に切目線を入れ、その切断に伴い側板２２，２３の締結が解除されるようにしてもよい。
【００３４】
さらに、締結片２５を、側板２２の両側の組立時に折込片２４よりも下方となる位置に連設したものを例示したが、組立時に折込片２４よりも上方となるコーナー側において、側板２２又は側板２３の側端に締結片２５を連設してもよく、隣り合う側板２２，２３を締結できれば、その位置が限定されることはない。
【００３５】
そのほか、トレイ１として、継代片１４を側板１３の内面に貼り付けたものを例示したが、継代片１４は、側板１３の外面に貼り付けるようにしてもよく、その場合、折込片２４と噛み合うようにしてもよい。
【符号の説明】
【００３６】
１  トレイ
２  カバー
１１  底板
１２，１３  側板
１４  継代片
２１  天板
２２，２３  側板
２３ａ  切目線
２４  折込片
２４ａ，２４ｂ，２４ｄ  山折線
２４ｃ  谷折線
２５  締結片
【図１】
2015155325.tif 000003
【図２】
2015155325.tif 000004
【図３】
2015155325.tif 000005
【図４】
2015155325.tif 000006
【図５】
2015155325.tif 000007
【図６】
2015155325.tif 000008
【図７】
2015155325.tif 000009